(57)【特許請求の範囲】
【請求項１】
室内熱交換器と室内送風機とを有した複数台の室内ユニットを前後に並べて配置した空気調和装置において、
複数台の室内ユニットの各吸込フィルタを前方の室内ユニットの前面側へ一体的に引き出し可能に構成したことを特徴とする空気調和装置。
【請求項２】
各室内ユニットの各吸込フィルタ収納部が同一水平面内に連通して形成されていることを特徴とする請求項１記載の空気調和装置。
【請求項３】
前方の室内ユニットの吸込フィルタと後方の室内ユニットの吸込フィルタとが係合部で連結されていることを特徴とする請求項１または２記載の空気調和装置。
【発明の詳細な説明】
【０００１】
【発明の属する技術分野】
本発明は、複数台の室内ユニットを備えた空気調和装置に関する。
【０００２】
【従来の技術】
一般に、複数台の室内ユニットを備えた空気調和装置では、複数台の室内ユニットを一つの室内空間に配置することがある。
【０００３】
この場合、オフィスビル等ではフリーアクセスフロアの下に空間を形成し、この空間に冷気或いは暖気を供給し、これらの冷気または暖気を床面に形成される床吹出口から室内に噴出し、室内の空調を行うようにしたものが提案されている（例えば、特開平６−３１７３３７号公報）。
【０００４】
このような床置き式等の空気調和装置では、一つの室内空間に対し複数台の室内ユニットを横並びに配置したり、或いは少し離して配置したり、対向配置したりするものがあり、これらの配置の中で室内ユニットを一つの室内空間に対し前後に並べて配置することが、レイアウト上で望ましい場合がある。
【０００５】
【発明が解決しようとする課題】
しかしながら、複数台の室内ユニットを一つの室内空間に対し前後に並べて配置する場合、吸込口の位置や、この吸込口に設けられる吸込フィルタの形状及び吸込フィルタの出し入れ方が問題となる。
【０００６】
そこで、本発明の目的は、上述した従来技術が有する課題を解消し、複数台の室内ユニットを一つの室内空間に対し前後方向に並べて配置した場合、吸込フィルタの出し入れを容易にすることができる空気調和装置を提供することにある。
【０００７】
【課題を解決するための手段】
前記目的を達成するために、請求項１に記載の発明は、室内熱交換器と室内送風機とを有した複数台の室内ユニットを前後に並べて配置した空気調和装置において、複数台の室内ユニットの各吸込フィルタを前方の室内ユニットの前面側へ一体的に引き出し可能に構成したことを特徴とする。
【０００８】
請求項２に記載の発明は、請求項１記載の空気調和装置おいて、各室内ユニットの各吸込フィルタ収納部が同一水平面内に連通して形成されていることを特徴とする。
【０００９】
請求項３に記載の発明は、請求項１または２記載の空気調和装置おいて、前方の室内ユニットの吸込フィルタと後方の室内ユニットの吸込フィルタとが係合部で連結されていることを特徴とする。
【００１０】
室内の形態によっては、一つの室内空間に対し室内ユニットを前後に並べて配置することが、レイアウト上で望ましい場合がある。
【００１１】
これらの発明では、前記のように、前方の室内ユニットのフィルタ収納部と後方の室内ユニットのフィルタ収納部とを同一水平面内に連通するように形成し、複数台の室内ユニットの各吸込フィルタが一体的に連結されているので、各吸込フィルタを前方の室内ユニットの前面側へ引出し可能になる。
【００１２】
【発明の実施の形態】
以下、本発明の一実施形態を図１〜図５の図面に基づいて説明する。
【００１３】
図１〜図３において、１Ａ、１Ｂは室内ユニットを示している。この室内ユニット１Ａ、１Ｂは、室内熱交換器３Ａ、３Ｂと、１つの室内ユニットに対し各２台で合計４台の室内送風機５Ａ〜５Ｄとを夫々有し、一つの室内空間１０に対し前後に並べて配置されている。これら室内熱交換器３Ａ、３Ｂには、図示を省略した室外ユニットが接続されている。６は木製の架台である。
【００１４】
各室内ユニット１Ａ、１Ｂはほとんど共通の形状を呈し、各室内ユニット１Ａ、１Ｂの上部には、それぞれの天板部２２Ａ、２２Ｂに室内の空気を吸い込む吸込口２３Ａ、２３Ｂが形成され、これら吸込口２３Ａ、２３Ｂの下方にはフィルタ収納部２５Ａ、２５Ｂが形成され、このフィルタ収納部２５Ａ、２５Ｂには空気中の塵やホコリを集塵する吸込フィルタ２４Ａ、２４Ｂが収納されている。
【００１５】
前方の室内ユニット１Ａのフィルタ収納部２５Ａは、直方体をして左右の面が閉鎖され、前後上下の面が開口している。前面はフィルタ出し入れ口２７になっている。
【００１６】
後方の室内ユニット１Ｂのフィルタ収納部２５Ｂは、フィルタ収納部２５Ａとほぼ同形状をして、左右、後の面が閉鎖され、前、上下の面が開口している。そして、フィルタ収納部２５Ａと２５Ｂとが同一水平面内に連通して形成されている。
【００１７】
図３、図４において、前方の室内ユニット１Ａの吸込フィルタ２４Ａには、前部にフィルタ取出用の取っ手２８を有し、後部にＬ形の係合部３１が形成されている。この係合部３１には、同形の２本の縦板３２ａ、３２ｂが設けられ、これら２本の縦板３２ａ、３２ｂの間隔ｓは縦板の厚さより少し大き目になっている。また、後方の室内ユニット１Ｂの吸込フィルタ２４Ｂには、前部に、前方の吸込フィルタ２４Ａと同形で上下が逆のＬ形の係合部３３が形成されている。この係合部３３には、同形の２本の縦板３４ａ、３４ｂが設けられている。
【００１８】
吸込フィルタ２４Ａの後方の縦板３２ｂが、吸込フィルタ２４Ｂの縦板３４ａ、３４ｂ間に挿入され、同様に、吸込フィルタ２４Ｂの前方の縦板３２ａが吸込フィルタ２４Ａの縦板３４ａ、３４ｂ間に挿入されて互いに係合される。
【００１９】
このように、フィルタ収納部２５Ａ、２５Ｂが同一水平面内に連通しているので、連結された吸込フィルタ２４Ａ、２４Ｂをフィルタ収納部２５Ａ、２５Ｂに挿入するときには、吸込フィルタ２４Ａ、２４Ｂをフィルタ出し入れ口２７から挿入し、吸込フィルタ２４Ａの前面を押し込むことにより、吸込フィルタ２４Ａ、２４Ｂを容易に移動してフィルタ収納部２５Ａ、２５Ｂの所定位置に納めることができる。
【００２０】
さらに、吸込フィルタ２４Ａと２４Ｂとは、一方の縦板が他方の縦板の間に挟み込まれて連結されているので、この連結部分での吸込フィルタ２４Ａ、２４Ｂ同士のずれが少なく、前方の吸込フィルタ２４Ａが前方のフィルタ収納部２５Ａの所定位置に納められるのはもちろん、後方の吸込フィルタ２４Ｂも後方のフィルタ収納部２５Ｂの所定位置に容易に納めることができる。
【００２１】
また、吸込フィルタ２４Ａ、２４Ｂを取り出すときには、フィルタ取出用の取っ手２８を持って引き出すことにより、吸込フィルタ２４Ａ、２４Ｂがフィルタ収納部２５Ａ、２５Ｂ内を円滑に移動して前方の室内ユニット１Ａの前面側へ一体的に取り出すことができる。
【００２２】
図３において、室内ユニット１Ａ、１Ｂのフィルタ収納部２５Ａ、２５Ｂの下方には、上から順に送風機室Ａと、第一通風路Ｂと、第二通風路Ｃと、第三通風路Ｄとを備えて構成されている。送風機室Ａには前記の室内送風機５Ａ〜５Ｄが設置され、第二通風路Ｃには前記の室内熱交換器３Ａ、３Ｂが設置されている。前方の室内ユニット１Ａの第三通風路Ｄには略水平に延びる中仕切板７が設けられ、この第三通風路Ｄは、中仕切板７で上下に２つの通風路Ｄ１、Ｄ２に区分されている。
【００２３】
前方の室内ユニット１Ａの前面には、送風機室Ａを覆う前パネル１７Ａと、第一通風路Ｂを覆う前パネル１７Ｂと、第二通風路Ｃおよび第三通風路Ｄを一体的に覆う前パネル１７Ｃとが設けられ、この前パネル１７Ｃには、図５に示すように、第一吹出口１３と、第二吹出口１５とが開口している。
【００２４】
一方、後方の室内ユニット１Ｂの背面には、送風機室Ａを覆う背パネル１８Ａと、第一通風路Ｂを覆う背パネル１８Ｂと、第二通風路Ｃおよび第三通風路Ｄを一体的に覆う背パネル１８Ｃとが設けられている。
【００２５】
これに対し、前方の室内ユニット１Ａの背面は、後方の室内ユニット１Ｂの前面に接し、夫々の第一通風路Ｂを覆う背パネル１９Ｂおよび前パネル２０Ｂと、夫々の第二通風路Ｃおよび第三通風路Ｄを一体的に覆う背パネル１９Ｃ並びに前パネル２０Ｃとが設けられ、背パネル１９Ｃおよび前パネル２０Ｃの最下段には、中仕切板７によって仕切られた下の通風路Ｄ２と、後方の室内ユニット１Ｂの第三通風路Ｄとを連通する開口（図示せず）が形成されている。各室内ユニット１Ａ、１Ｂの送風機室Ａは連通し、その間に仕切り体は存在しない。
【００２６】
以上のように構成された室内ユニットに１Ａ、１Ｂにおいて、前方の室内ユニット１Ａの吸込口２３Ａから吸い込まれた空気は、吸込フィルタ２４Ａを通過し、熱交換器３Ａで熱交換される。熱交換後の空気は、中仕切板７によって仕切られた上の通風路Ｄ１を経て、前方の室内ユニット１Ａに形成された第一吹出口１３からフリーアクセスフロア１１の床下に吹き出され、床吹出口１２を介して室内空間１０に吹き出される。また、後方の室内ユニット１Ｂの吸込口２３Ｂから吸い込まれた空気は、吸込フィルタ２４Ｂを通過し、熱交換器３Ｂで熱交換される。熱交換後の空気は、自己の第三通風路Ｄを経た後に、前方の室内ユニット１Ａの中仕切板７によって仕切られた下の通風路Ｄ２に入り、この室内ユニット１Ａに形成された第二吹出口１５からフリーアクセスフロア１１の床下に吹き出され、床吹出口１２を介して室内空間１０に吹き出される。
【００２７】
室内熱交換器３Ａ、３Ｂが凝縮器として機能する場合、室内空間１０には床吹出口１２を介して暖房空気が吹き出され、室内熱交換器３Ａ、３Ｂが蒸発器として機能する場合、室内空間１０には冷房空気が吹き出される。
【００２８】
以上、一実施形態に基づいて本発明を説明したが、本発明はこれに限定されるものではない。例えば、前記実施形態では、２台の室内ユニット１Ａ、１Ｂを前後に配置してフィルタ収納部２５Ａ、２５Ｂを前後に連通配置し、このフィルタ収納部２５Ａ、２５に連結された２つの吸込フィルタ２４Ａ、２４Ｂを挿脱自在に納める場合の例を示したが、本発明は、３台以上の室内ユニットを前後に配置し、３つ以上の吸込フィルタを連結して納める場合にも適用可能である。
【００２９】
また、前記実施形態では、フリーアクセスフロアの下に形成された空間に冷気或いは暖気を供給することによって室内の空調を行うようにした空気調和装置について説明したが、これに限定されるものではなく、例えば、床置き式の空気調和装置等にも適用可能である。
【００３０】
【発明の効果】
以上説明したように、本発明では、前方の室内ユニットのフィルタ収納部と後方の室内ユニットのフィルタ収納部とを同一水平面内に連通するように形成し、それぞれのフィルタ収納部に収納される吸込フィルタに係合部を設け、吸込フィルタ同士が係合して連結されるようにしたので、後方のフィルタ収納部への吸込フィルタの出し入れが容易になり、吸込フィルタの掃除等の作業も容易にすることができる。
【図面の簡単な説明】
【図１】本発明による空気調和装置の一実施形態を示す側断面図である。
【図２】図１の前後に配置した２台の室内ユニットを示す平面図である。
【図３】図１の吸込フィルタを出し入れしている状態を示す側断面図である。
【図４】吸込フィルタの係合部を示す一部斜視図である。
【図５】前方の室内ユニットを示す正面図である。
【符号の説明】
１Ａ、１Ｂ  室内ユニット
３Ａ、３Ｂ  室内熱交換器
５Ａ〜５Ｄ  室内送風機
１０  室内空間
１１  フリーアクセスフロア
Ａ  送風機室
Ｂ  第一通風路
Ｃ  第二通風路
Ｄ  第三通風路
２３Ａ、２３Ｂ  吸込口
２４Ａ、２４Ｂ  吸込フィルタ
２５Ａ、２５Ｂ  フィルタ収納部
２７  出し入れ口
３１、３３  係合部
３２ａ、３２ｂ、３４ａ、３４ｂ  縦板
【図１】
0003806614.tif 000002
【図２】
0003806614.tif 000003
【図３】
0003806614.tif 000004
【図４】
0003806614.tif 000005
【図５】
0003806614.tif 000006